(57)【特許請求の範囲】
【請求項１】
複数の画素が互いに交差する二方向に沿いマトリクス状に設けられた表示部を有する表示装置であって、
前記複数の画素のそれぞれは、第１の色、第２の色、第３の色及び第４の色の四色のうちいずれか三色に対応する三つの副画素を有し、
前記三つの副画素のうち一つの副画素の面積は、他の二つの副画素の面積より大きく、
前記第４の色の副画素は、前記他の二つの副画素の一方であり、
前記表示部は、前記二方向のうち少なくとも一方向について、前記第４の色の副画素を有する画素同士が隣接せず、
前記第４の色は、白色又はイエローである、
表示装置。
【請求項２】
前記表示部は、前記二方向のうち少なくとも一方向について、前記第４の色の副画素を有する画素と、前記第１の色の副画素、前記第２の色の副画素及び前記第３の色の副画素を有する画素とが互い違いに配置される
請求項１に記載の表示装置。
【請求項３】
前記表示部は、前記二方向のうち前記一方向とは異なる他方向に連続して並ぶ６つの画素を含む表示領域における前記第１の色の副画素の面積と、前記第２の色の副画素の面積と、前記第３の色の副画素の面積とが等しい、
請求項１又は２に記載の表示装置。
【請求項４】
前記一方向に沿って並ぶ所定数の画素の組単位で、前記第１の色の副画素の面積と、前記第２の色の副画素の面積と、前記第３の色の副画素の面積とが等しくなるように副画素が配置されている、
請求項３に記載の表示装置。
【請求項５】
前記所定数は、６の倍数である、
請求項４に記載の表示装置。
【請求項６】
前記第１の色、前記第２の色、前記第３の色はそれぞれ、赤色、緑色、青色である、
請求項１又は２に記載の表示装置。
【発明の詳細な説明】
【技術分野】
【０００１】
本発明は、表示装置に関する。
【背景技術】
【０００２】
画素を構成する複数の副画素の色として、赤色（Ｒ）、緑色（Ｇ）、青色（Ｂ）、白色（Ｗ）の四色を用いる表示装置が知られている（例えば特許文献１）。赤色（Ｒ）、緑色（Ｇ）、青色（Ｂ）の三色の副画素に加えて白色（Ｗ）の副画素を備えることで、表示装置は、画素が出力する輝度成分のうち赤色（Ｒ）、緑色（Ｇ）、青色（Ｂ）の三色全てを含む成分を白色（Ｗ）の副画素に割り当てることができる。
【先行技術文献】
【特許文献】
【０００３】
【特許文献１】特表２０１０−５２６３３２号公報
【発明の概要】
【発明が解決しようとする課題】
【０００４】
しかしながら、特許文献１に記載されているような画素が四色の副画素により構成される表示装置は、白色（Ｗ）の副画素を有するため、赤色（Ｒ）、緑色（Ｇ）、青色（Ｂ）の副画素に割り当てることができる表示領域の面積が白色（Ｗ）の副画素の面積だけ小さくなる。このため、係る表示装置は、赤色（Ｒ）、緑色（Ｇ）、青色（Ｂ）の三色のみの副画素により画素が構成されている表示装置に比して、赤色（Ｒ）、緑色（Ｇ）、青色（Ｂ）の三色の副画素のいずれかを用いて表現する色（単色）の輝度等、当該三色の少なくとも一つ以上の色の出力信号値が大きい色の輝度が低くなる問題があった。
【０００５】
係る問題は、赤色（Ｒ）、緑色（Ｇ）、青色（Ｂ）、白色（Ｗ）の四色を副画素の色として用いる表示装置に限らず、四色以上の色を副画素の色として用いる表示装置に共通の問題である。すなわち、四色以上の副画素を有する表示装置は、当該四色以上の色のうち第１の色、第２の色、第３の色の三色に割り当てることができる副画素の面積が、当該三色の副画素のみを有する表示装置に比して小さくなる。
【０００６】
本発明は、上記の課題に鑑みてなされたもので、第１の色、第２の色、第３の色及び第４の色の四色の副画素を有する表示装置であって、第１の色、第２の色、第３の色の輝度をより高くすることができる表示装置を提供することを目的とする。又は、副画素の色として第１の色、第２の色、第３の色に加えて第４の色を用いたことにより得られる効果と、第１の色、第２の色、第３の色のより高い輝度とを両立することができる表示装置を提供することを目的とする。
【課題を解決するための手段】
【０００７】
本発明の一態様による表示装置は、複数の画素が互いに交差する二方向に沿いマトリクス状に設けられた表示部を有する表示装置であって、前記複数の画素のそれぞれは、第１の色、第２の色、第３の色及び第４の色の四色のうちいずれか三色に対応する三つの副画素を有し、前記三つの副画素のうち一つの副画素の面積は、他の二つの副画素の面積より大きく、前記第４の色の副画素は、前記他の二つの副画素の一方であり、前記表示部は、前記二方向のうち少なくとも一方向について、前記第４の色の副画素を有する画素同士が隣接しない。
【図面の簡単な説明】
【０００８】
【図１】図１は、本発明を実施するための第１の実施形態（実施形態１）に係る表示装置の構成の一例を示すブロック図である。
【図２】図２は、実施形態１に係る表示装置の画像表示パネル及び画像表示パネル駆動回路の概念図である。
【図３】図３は、実施形態１に係る画像表示パネルの一部分の画素配置を示す図である。
【図４】図４は、画像表示パネルが有する複数の画素のうち７行×７列分の画素における副画素の色の一例を示す図である。
【図５】図５は、実施形態２に係る画像表示パネルが有する複数の画素のうち７行×７列分の画素における副画素の色の一例を示す図である。
【図６】図６は、第１の色、第２の色及び第３の色の単色の輝度と、白輝度と、副画素の一方向（例えば、行方向）の幅とを画素４８を構成する副画素のパターン毎に数値化した場合の各パターンの対比例を示す図である。
【図７】図７は、実施形態３に係る画像表示パネルが有する複数の画素のうち７行×７列分の画素における副画素の色の一例を示す図である。
【図８】図８は、実施形態４に係る画像表示パネルが有する複数の画素のうち７行×７列分の画素における副画素の色の一例を示す図である。
【図９】図９は、実施形態４に係る画像表示パネルが有する複数の画素のうち６行×６列分の画素に接続される信号線及び走査線の一例を示す図である。
【図１０】図１０は、図９に示す信号線に流される出力信号と、走査線への出力による走査タイミングとの関係の一例を示す図である。
【図１１】図１１は、画素の座標（ｍ，ｎ）に対応した位置で出力することができない色の出力信号に対応する出力の代替出力例を示す図である。
【図１２】図１２は、画素の座標（ｍ，ｎ）に対応した位置で出力することができない色の出力信号に対応する出力の代替出力例を示す図である。
【図１３】図１３は、画素の座標（ｍ，ｎ）に対応した位置で出力することができない色の出力信号に対応する出力の代替出力例を示す図である。
【図１４】図１４は、画素の座標（ｍ，ｎ）に対応した位置で出力することができない色の出力信号に対応する出力の代替出力例を示す図である。
【図１５】図１５は、画像表示パネルが有する複数の画素のうち７行×７列分の画素における副画素の色の他の例を示す図である。
【図１６】図１６は、画像表示パネルが有する複数の画素のうち７行×７列分の画素における副画素の色の他の例を示す図である。
【図１７】図１７は、画像表示パネルが有する複数の画素のうち７行×７列分の画素における副画素の色の他の例を示す図である。
【図１８】図１８は、画像表示パネルが有する複数の画素のうち７行×７列分の画素における副画素の色の他の例を示す図である。
【図１９】図１９は、画像表示パネルが有する複数の画素のうち７行×７列分の画素における副画素の色の他の例を示す図である。
【図２０】図２０は、変形例に係る画像表示パネルの一部分の画素配置を示す図である。
【図２１】図２１は、各実施形態に係る表示装置を適用する電子機器の一例を示す図である。
【図２２】図２２は、各実施形態に係る表示装置を適用する電子機器の一例を示す図である。
【発明を実施するための形態】
【０００９】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、本発明を実施するための第１の実施形態（実施形態１）に係る表示装置の構成の一例を示すブロック図である。図２は、実施形態１に係る表示装置の画像表示パネル及び画像表示パネル駆動回路の概念図である。図１に示すように、表示装置１０は、入力信号（例えば、ＲＧＢデータ）が入力され所定のデータ変換処理を実行して出力する信号処理部２０と、表示部として機能し、画像を表示させる画像表示パネル４０と、信号処理部２０から出力された出力信号に基づいて画像表示パネル４０の駆動を制御する画像表示パネル駆動回路３０と、画像表示パネル４０を、例えばその背面から照明する光源部５０と、を備える。
【００１１】
信号処理部２０は、画像表示パネル４０及び光源部５０のそれぞれの動作を同期して制御する。信号処理部２０は、画像表示パネル４０を駆動するための画像表示パネル駆動回路３０、及び、画像表示パネル４０を照明する光源部５０と接続されている。信号処理部２０は、入力信号を処理して出力信号及び光源制御信号を生成する。つまり、信号処理部２０は、例えば入力信号が示す入力ＨＳＶ色空間の入力値（入力信号）を、第１の色、第２の色、第３の色及び第４の色成分で再現される再現ＨＳＶ色空間の再現値に変換して生成し、この再現値に基づいた出力信号を画像表示パネル駆動回路３０に出力する。また、信号処理部２０は、出力信号に対応する光源制御信号を光源部５０に出力する。入力信号は、例えば表示装置１０が設けられた電子機器において画像出力部１２を有する制御装置１１から出力されて信号処理部２０に入力される。
【００１２】
図１、図２に示すように、画像表示パネル４０は、複数の画素４８が２次元のマトリクス状に配列されている。図２に示す例は、ＸＹの２次元座標系にｐ×ｑ個の画素４８がマトリクス状に配列されている例を示している。この例において、行方向がＸ方向、列方向がＹ方向である。このように、複数の画素４８は、互いに交差する二方向（例えば行方向、列方向）に沿ってマトリクス状に設けられている。
【００１３】
画像表示パネル駆動回路３０は、信号出力回路３１及び走査回路３２を備えている。画像表示パネル駆動回路３０は、信号出力回路３１によって映像信号を保持し、順次、画像表示パネル４０に出力する。信号出力回路３１は、信号線ＤＴＬによって画像表示パネル４０と電気的に接続されている。画像表示パネル駆動回路３０は、走査回路３２によって、画像表示パネル４０における副画素の動作（例えば表示輝度で、この場合は光透過率）を制御するためのスイッチング素子（例えば、薄膜トランジスタ(ＴＦＴ)）のオン及びオフを制御する。走査回路３２は、走査線ＳＣＬによって画像表示パネル４０と電気的に接続されている。図２に示すように、ｐ×ｑ個の画素４８がマトリクス状に配列されている場合、信号線ＤＴＬの数（本数）及び走査線ＳＣＬの数（本数）は、それぞれ３ｐ［本］、ｑ＋１［本］である。実施形態１の説明では、信号線ＤＴＬ１，ＤＴＬ２，…，ＤＴＬ３ｐを区別する必要がない場合、信号線ＤＴＬと記載することがある。また、走査線ＳＣＬ１，ＳＣＬ２，…，ＳＣＬｑ＋１を区別する必要がない場合、走査線ＳＣＬと記載することがある。複数の画素４８のうち、行方向に沿って並ぶ一つの画素行は、二本の走査線ＳＣＬを共有する。また、行数がｑである画素行のうち、列方向に隣接する二つの画素行は、一つの走査線ＳＣＬを共有する。また、複数の画素４８のうち、列方向に沿って並ぶ一つの画素列は、三本の信号線ＤＴＬを共有する。
【００１４】
光源部５０は、例えば発光ダイオード（ＬＥＤ：Light  Emitting  Diode）等の光源を有し、電力の供給及び信号処理部２０から出力される光源制御信号に応じて画像表示パネル４０を照明する。光源部５０は、例えば画像表示パネル４０の背面に配置され、画像表示パネル４０に向けて光を照射することで、画像表示パネル４０を照明する。光源部５０は、光源制御信号に基づいて光源部５０に供給する電流、電圧又は信号のｄｕｔｙ比を調整し、画像表示パネル４０を照射する光の照射光量（光の強度）を制御する。光源部５０は、画像表示パネル４０の前面に配置したフロントライト構成であってもよい。また画像表示パネル４０として自発光のディスプレイ、例えばＯＬＥＤ（Organic  Light  Emitting  Diode）ディスプレイ等を用いる場合、光源部５０は不要にできる。
【００１５】
図３は、実施形態１に係る画像表示パネルの一部分の画素配置を示す図である。図２、図３に示すように、画素４８は、三つの副画素４９Ａ，４９Ｂ，４９Ｃにより構成される。実施形態１の説明では、三つの副画素４９Ａ，４９Ｂ，４９Ｃを区別する必要がない場合、副画素４９と記載することがある。なお、実施形態１における三つの副画素４９Ａ，４９Ｂ，４９Ｃの符号の区別は、図２、図３に示す画素４８における副画素４９の配置及び面積を区別するための符号であり、副画素４９の各々の色を区別するための符号でない。
【００１６】
三つの副画素４９Ａ，４９Ｂ，４９Ｃのうち一つの副画素（例えば副画素４９Ｃ）の面積は、他の二つの副画素（この場合、副画素４９Ａ，４９Ｂ）の面積より大きい。具体的には、例えば図３に示すように、一つの画素４８の右側に存する副画素４９Ｃの面積は、当該一つの画素４８の左側に存する副画素４９Ａ，４９Ｂの面積より大きい。なお、図３における画素４９Ａ，４９Ｂ，４９Ｃの位置関係はあくまで一例であり、適宜変更可能である。例えば、後述する実施形態３のように、副画素４９Ａ，４９Ｂと副画素４９Ｃとの左右関係が入れ替わってもよい。また、副画素４９の配置における行方向と列方向の関係は、入れ替わってもよい。この場合、信号線ＤＴＬ、走査線ＳＣＬの配線方向も入れ替わる。
【００１７】
図３の例では、副画素４９Ａ，４９Ｂは、一つの画素４８に接続される三本の信号線ＤＴＬのうち二本の信号線ＤＴＬに挟まれた位置に設けられている。また、副画素４９Ａ，４９Ｂは、当該二本の信号線ＤＴＬと画素４８の上下に配線された二本の走査線ＳＣＬとに囲まれた領域を二つに分割するように設けられている。実施形態１では、副画素４９Ａ，４９Ｂは、当該領域を行方向に沿う分割線で均等に二分した各々の領域を有しているが、副画素４９Ａ，４９Ｂの面積は不均等であってもよい。また、分割の方向は行方向に限らず、列方向であってもよいし、画像表示パネル４０の表示面に沿うその他の方向であってもよい。なお、実施形態１では、行方向に沿う分割線で二分された領域のうち上側の領域に対応する副画素を副画素４９Ａとし、下側の領域に対応する副画素を副画素４９Ｂとしている。また、副画素４９Ｃは、一つの画素４８に接続される三本の信号線ＤＴＬのうち、副画素４９Ａ，４９Ｂを挟むように位置する二本の信号線ＤＴＬのうちの右側寄りの一本の信号線ＤＴＬ、及び、残りの一本の信号線ＤＴＬとの間の領域であって、画素４８の上下に配線された二本の走査線ＳＣＬとに囲まれた領域を有する副画素である。
【００１８】
実施形態１では、図２に示すように、画素４８の上方に設けられた走査線ＳＣＬに副画素４９Ａ，４９Ｃが接続され、画素４８の下方に設けられた走査線ＳＣＬに副画素４９Ｂが接続されているが、これは副画素４９と走査線ＳＣＬとの接続の一例であってこれに限られるものでなく、当該接続は適宜変更可能である。また、一つの画素４８が有する三つの副画素４９には、それぞれ異なる信号線ＤＴＬが接続される。
【００１９】
複数の画素４８のそれぞれは、第１の色、第２の色、第３の色及び第４の色の四色のうちいずれか三色に対応する三つの副画素を有する。具体的には、例えば、第１の色、第２の色、第３の色は、色の三原色であり、それぞれ赤色（Ｒ）、緑色（Ｇ）、青色（Ｂ）である。また、実施形態１では、第４の色は、白色（Ｗ）である。図３等において、副画素４９の各々の色を図示する目的で、副画素４９の領域内にこれらの色のいずれかを示す符号（Ｒ，Ｇ，Ｂ，Ｗ）のいずれかを記載することがある。
【００２０】
実施形態１では、出力信号が示す再現ＨＳＶ色空間の第１の色、第２の色、第３の色及び第４の色成分と副画素４９の四色の色成分とが対応しているものとするが、出力信号の色成分と副画素４９の色成分とが直接対応しなくてもよい。例えば、副画素４９の色成分の少なくともいずれか一つの色成分が発揮し得る単色の最大の輝度が、出力信号が示す再現ＨＳＶ色空間で定められた当該単色の最大の輝度よりも高い輝度であってもよい。
【００２１】
表示装置１０は、より具体的には、例えば透過型のカラー液晶表示装置である。画像表示パネル４０は、カラー液晶表示パネルであり、赤色の副画素４９と画像観察者との間に第１原色を通過させる第１カラーフィルタが配置され、緑色の副画素４９と画像観察者との間に第２原色を通過させる第２カラーフィルタが配置され、青色の副画素４９と画像観察者との間に第３原色を通過させる第３カラーフィルタが配置されている。また、画像表示パネル４０は、白色の副画素４９と画像観察者との間にカラーフィルタが配置されていない。白色の副画素４９には、カラーフィルタの代わりに透明な樹脂層が備えられていてもよい。
【００２２】
一つの画素４８が有する三つの副画素４９のうち、他の副画素４９Ａ，４９Ｂより面積が大きい副画素４９Ｃは、第１の色、第２の色又は第３の色のいずれかの色である。言い換えれば、副画素４９Ｃは、第４の色でない。一方、副画素４９Ａ，４９Ｂは、第１の色、第２の色、第３の色又は第４の色のいずれかの色である。このように、第４の色（例えば、白色）の副画素４９は、他の二つの副画素（例えば、副画素４９Ａ，４９Ｂ）の一方である。
【００２３】
以下、実施形態１の複数の画素４８の各々が有する副画素４９の色の配置について、図４を参照して説明する。図４は、画像表示パネル４０が有する複数の画素４８のうち７行×７列分の画素４８における副画素４９の色の一例を示す図である。便宜上、図４に示す７列の画素の各々に、左から順に列ＸＡ，列ＸＢ，列ＸＣ，列ＸＤ，列ＸＥ，列ＸＦ，列ＸＧの符号を付す。表示部（例えば、画像表示パネル４０）は、二方向のうち少なくとも一方向（例えば、行方向）について、第４の色（例えば、白色）の副画素４９を有する画素４８同士が隣接しない。具体的には、例えば図４に示すように、画素４８のうち、白色の副画素４９Ｂを有する画素４８は、ＸＢ列、ＸＤ列、ＸＦ列…のように、行方向について一列おきに設けられる。係る一列おきの画素列に含まれる画素４８における副画素４９Ｂを除いて、白色の副画素４９は画像表示パネル４０に設けられない。
【００２４】
なお、実施形態１における画素４８が有する副画素４９の色は、画素列単位で統一されている。具体的には、ＸＡ列、ＸＣ列、ＸＥ列（及びＸＧ列）が有する画素４８は全て共通であり、例えば青色の副画素４９Ａ、緑色の副画素４９Ｂ及び赤色の副画素４９Ｃを有する。また、ＸＢ列が有する画素４８は全て、赤色の副画素４９Ａ、白色の副画素４９Ｂ及び緑色の副画素４９Ｃを有する。また、ＸＤ列が有する画素４８は全て、青色の副画素４９Ａ、白色の副画素４９Ｂ及び赤色の副画素４９Ｃを有する。また、ＸＦ列が有する画素４８は全て、緑色の副画素４９Ａ、白色の副画素４９Ｂ及び青色の副画素４９Ｃを有する。このように、表示部（例えば、画像表示パネル４０）は、二方向のうち少なくとも一方向（例えば、行方向）について、第４の色（例えば、白色）の副画素（例えば、副画素４９Ｂ）を有する画素４８と、第１の色（例えば、赤色）の副画素（例えば、副画素４９Ｃ）、第２の色（例えば、緑色）の副画素（例えば、副画素４９Ｂ）及び第３の色（例えば、青色）の副画素（例えば、副画素４９Ａ）を有する画素４８とが互い違いに配置される。
【００２５】
実施形態１の画像表示パネル４０における画素４８の配置パターンは、６列単位で同じ画素４８の配置パターンが繰り返されるように配置されている。このため、ＸＧ列が有する画素４８は、ＸＡ列が有する画素４８と同様である。また、ＸＧ列より右側の画素列は、ＸＢ列と同様の画素列、ＸＣ列の同様の画素列…のように、ＸＡ列からＸＦ列までの行方向の画素４８の配置パターンが繰り返される。
【００２６】
以上説明したように、実施形態１によれば、第４の色（例えば、白色）の副画素４９は、一つの副画素（例えば、副画素４９Ｃ）より小さい他の二つの副画素の一方（例えば、副画素４９Ｂ）である。このため、一つの画素４８に占める第４の色の面積が、当該一つの副画素を第４の色とする場合に比して小さい。また、表示部（例えば、画像表示パネル４０）は、二方向のうち少なくとも一方向（例えば、行方向）について、第４の色の副画素を有する画素４８同士が隣接しない。これは、すなわち、少なくとも当該一方向について第４の色の副画素を有する画素４８の間に第４の色の副画素を有しない画素４８が必ず存することを示している。このため、表示部において第１の色（例えば、赤色）、第２の色（例えば、緑色）及び第３の色（例えば、青色）が占める面積をより大きくすることができる。よって、実施形態１によれば、第１の色、第２の色、第３の色及び第４の色の四色の副画素４９を有するという条件下で、第１の色、第２の色、第３の色の輝度をより高くすることができる。また、実施形態１によれば、副画素４９の色として第１の色、第２の色、第３の色に加えて第４の色を用いたことにより得られる効果と、第１の色、第２の色、第３の色のより高い輝度とを両立することができる。
【００２７】
また、二方向のうち少なくとも一方向（例えば、行方向）について、第４の色の副画素を有する画素４８と、第１の色の副画素４９、第２の色の副画素４９及び第３の色の副画素４９を有する画素４８とが互い違いに配置される。このため、第４の色の副画素を表示部により分散させることができ、表示部の色の均一性をより高めることができる。
【００２８】
また、第１の色、第２の色、第３の色がそれぞれ、赤色、緑色、青色であることで、入力信号がＲＧＢ信号である場合に、入力信号から出力信号への色変換に係る処理をより単純化することができる。また、第４の色が白色であることで、画素４８が出力する輝度成分のうち赤色（Ｒ）、緑色（Ｇ）、青色（Ｂ）の三色全てを含む成分を白色（Ｗ）の副画素に割り当てることができる。
【００２９】
また、実施形態１のように、第１の色、第２の色、第３の色の各々に割り当てられる副画素４９の面積を異ならせることで、表示部の色再現傾向を任意に調整することができる。
【００３０】
（実施形態２）
次に、本発明を実施するための第２の実施形態（実施形態２）について説明する。実施形態１と同様の構成については、同じ符号を付して説明を省略することがある。図５は、実施形態２に係る画像表示パネル４０が有する複数の画素４８のうち７行×７列分の画素４８における副画素４９の色の一例を示す図である。実施形態２は、実施形態１と同様に、６列単位で同じ画素４８の配置パターンが繰り返されるように配置されている。ただし、実施形態２は、列ＸＡ，列ＸＣ，列ＸＥの３列のうち少なくとも２列の画素が有する副画素の色が実施形態１と異なる。具体的には、例えば図５に示すように、実施形態２におけるＸＡ列が有する画素４８は全て、実施形態１におけるＸＡ列が有する画素４８と同様であり、青色の副画素４９Ａ、緑色の副画素４９Ｂ及び赤色の副画素４９Ｃを有する。一方、実施形態２におけるＸＣ列が有する画素４８は全て、緑色の副画素４９Ａ、赤色の副画素４９Ｂ及び青色の副画素４９Ｃを有する。また、実施形態２におけるＸＥ列が有する画素４８は全て、赤色の副画素４９Ａ、青色の副画素４９Ｂ及び緑色の副画素４９Ｃを有する。なお、図５では、ＸＡ列が実施形態１と同一であるが、これは実施形態２の画素４８における副画素４９の色のパターンの一例であってこれに限られるものでない。例えば、実施形態２におけるＸＡ列、ＸＣ列、ＸＥ列の位置は入れ替わってもよい。
【００３１】
実施形態２では、一方向（例えば、行方向）に沿って並ぶ所定数の画素４８の組（例えば、１行×６列分の画素４８の組）単位で、第１の色（例えば、赤色）の副画素４９の面積と、第２の色（例えば、緑色）の副画素４９の面積と、第３の色（例えば、青色）の副画素４９の面積とが等しくなるように副画素が配置されている。具体的には、実施形態２における１行×６列分の画素４８による表示領域では、赤色の副画素４９Ａの数と、青色の副画素４９Ａの数と、緑色の副画素４９Ａの数とが全て２であり、互いに等しい。また、当該表示領域では、赤色の副画素４９Ｂの数と、青色の副画素４９Ｂの数と、緑色の副画素４９Ｂの数とが全て１であり、互いに等しい。また、当該表示領域では、赤色の副画素４９Ｃの数と、青色の副画素４９Ｃの数と、緑色の副画素４９Ｃの数とが全て２であり、互いに等しい。このように、実施形態２の表示部（例えば、画像表示パネル４０）は、所定の表示領域（例えば、１行×６列分の画素４８による表示領域）における第１の色（例えば、赤色）の副画素４９の面積と、第２の色（例えば、緑色）の副画素４９の面積と、第３の色（例えば、青色）の副画素４９の面積とが等しい。
【００３２】
また、表示部（例えば、画像表示パネル４０）における所定数の画素４８の組が沿う一方向（例えば、行方向）の画素４８の数を、当該組を成す画素４８の数の倍数（例えば、６の倍数）にすることで、表示部が有する第１の色（例えば、赤色）の副画素４９の面積と、第２の色（例えば、緑色）の副画素４９の面積と、第３の色（例えば、青色）の副画素４９の面積とを等しくすることができる。以上説明した、第１の色、第２の色及び第３の色の副画素４９の比率に係る特徴を除いて、実施形態２は、実施形態１と同様である。
【００３３】
図６は、第１の色、第２の色及び第３の色の単色の輝度と、白輝度と、副画素の一方向（例えば、行方向）の幅とを画素４８を構成する副画素のパターン毎に数値化した場合の各パターンの対比例を示す図である。図６に示す白輝度は、第１の色、第２の色及び第３の色（例えば、赤色、緑色及び青色）の合成により得られる白色の輝度により定められる。また、図６に示す副画素４９の幅は、画像表示パネル４０が５５０ｐｐｉである場合の幅である。
【００３４】
仮に、図６の最上段に示すパターンのように、互いに面積が等しい第１の色、第２の色及び第３の色の三色のストライプ状の副画素を有する画素４８Ｓのみからなる表示部の単色の輝度及び白輝度が「１」である、と定義されたとする。この場合、図６の上から２段目に示すパターンのように、互いに面積が等しい第１の色、第２の色、第３の色及び第４の色の四色のストライプ状の副画素を有する画素４８Ｔのみからなる表示部の単色の輝度及び白輝度は、「０．７５」である。すなわち、上から２段目に示すパターンの単色の輝度及び白輝度は、最上段に示すパターンの単色の輝度及び白輝度の０．７５倍である。また、図６の上から３段目に示すパターンのように、表示部が有する複数の画素４８のうち半分の数の画素４８が第４の色の副画素４９Ｃを有し、他の副画素４９の色が第１の色、第２の色及び第３の色であって、かつ、第１の色の副画素４９の面積と第２の色の副画素４９の面積と第３の色の副画素４９の面積とが等しい場合、単色の輝度及び白輝度は、「約０．７１」である。これらに対し、実施形態２の単色の輝度及び白輝度は、「約０．８２」である。このように、実施形態２によれば、第１の色、第２の色、第３の色及び第４の色の四色の副画素４９を有する表示装置において、第１の色、第２の色、第３の色の輝度をより高くすることができる。
【００３５】
また、画像表示パネル４０が５５０ｐｐｉである場合、一つの画素４８の一方向（例えば、行方向）の幅は４６．２［μｍ］である。この場合、図６に示すように、最上段及び上から２段目のパターンの副画素の幅は、それぞれ画素の幅を副画素の数で割った幅（１／３、１／４）になる。このため、最上段及び上から２段目のパターンの副画素の幅は、１５．４［μｍ］、１１．５５［μｍ］となる。一方、上から３段目のパターン及び実施形態２の副画素４９の幅の平均は、画素４８の幅の１／２である２３．１［μｍ］になる。このように、実施形態２によれば、副画素４９の幅をより大きくすることができる。このため、実施形態２を含む本発明によれば、画素４８の微小化による表示部（例えば、画像表示パネル４０）の高精細化において、画素４８の幅に対する副画素４９の幅をより大きくすることができることから、副画素４９の微小化に伴う技術的困難を緩和することができ、高精細化をより容易にすることができる。
【００３６】
なお、実施形態２では、１行×６列分の画素４８の組単位で、第１の色（例えば、赤色）の副画素４９の面積と、第２の色（例えば、緑色）の副画素４９の面積と、第３の色（例えば、青色）の副画素４９の面積とが等しくなるように副画素が配置されている。このため、１行×１２列分の画素４８の組、１行×１８列分の画素４８の組…のように、６の倍数に対応する数の画素４８の組についても当然、第１の色の副画素４９の面積と、第２の色の副画素４９の面積と、第３の色の副画素４９の面積とが等しくなる。よって、実施形態２では、所定数は、６の倍数である。ただし、これは所定数の一例であってこれに限られるものでない。所定数は、副画素４９Ａ，４９Ｂ，４９Ｃの各々の面積比率、副画素４９Ａ，４９Ｂ，４９Ｃの各々に対する第１の色、第２の色、第３の色の割り当てパターン等に応じて適宜変更されうる。
【００３７】
以上説明したように、実施形態２によれば、実施形態１の効果に加えて、所定の表示領域（例えば、１行×６列分の画素４８による表示領域）における第１の色（例えば、赤色）の副画素４９の面積と、第２の色（例えば、緑色）の副画素４９の面積と、第３の色（例えば、青色）の副画素４９の面積とが等しい。このため、当該表示領域内で第１の色、第２の色及び第３の色のいずれかに偏りを生じさせることのない色再現性を得ることができる。
【００３８】
また、一方向（例えば、行方向）に沿って並ぶ所定数の画素４８の組（例えば、１行×６列分の画素４８の組）単位で、第１の色の副画素４９の面積と、第２の色の副画素４９の面積と、第３の色の副画素４９の面積とが等しくなるように副画素が配置されている。このため、表示部（例えば、画像表示パネル４０）における当該一方向の画素４８の数を当該所定数の倍数とすることで、表示部における第１の色の副画素４９の面積と、第２の色の副画素４９の面積と、第３の色の副画素４９の面積とを等しくすることができる。よって、第１の色、第２の色及び第３の色のいずれかに偏りを生じさせることのない色再現性を得ることができる。また、表示部における当該一方向の画素４８の数が当該所定数の倍数でなくとも、表示部における当該一方向の画素４８の数が当該所定数よりも十分に大きければ、実質的に第１の色、第２の色及び第３の色のいずれかに偏りを生じさせることのない色再現性を得ることができる。
【００３９】
（実施形態３）
次に、本発明を実施するための第３の実施形態（実施形態３）について説明する。実施形態１等と同様の構成については、同じ符号を付して説明を省略することがある。図７は、実施形態３に係る画像表示パネル４０が有する複数の画素４８のうち７行×７列分の画素４８における副画素４９の色の一例を示す図である。実施形態３は、実施形態２に比して、一部の画素列における副画素４９Ａ，４９Ｂの行方向の位置と副画素４９Ｃの行方向の位置とが入れ替わっていることを除いて、実施形態２と同様である。
【００４０】
具体的には、実施形態３では、例えば図７に示すように、実施形態２に比して、ＸＡ列、ＸＣ列及びＸＥ列における副画素４９Ａ，４９Ｂの行方向の位置と副画素４９Ｃの行方向の位置とが入れ替わっている。このため、実施形態３では、ＸＡ列、ＸＣ列及びＸＥ列における副画素４９Ａ，４９Ｂが画素４８の右側に存し、副画素４９Ｃが画素４８の左側に存している。なお、図７に示す例は、副画素４９Ａ，４９Ｂの行方向の位置と副画素４９Ｃの行方向の位置との入れ替えの具体的な一例に過ぎず、実施形態３を限定するものでない。具体的には、例えば実施形態３における全ての画素４８の副画素４９Ａ，４９Ｂが画素４８の右側に存し、副画素４９Ｃが画素４８の左側に存していてもよい。また、ＸＢ列、ＸＤ列及びＸＦ列等、他の画素列の副画素４９Ａ，４９Ｂが画素４８の右側に存し、副画素４９Ｃが画素４８の左側に存していてもよい。
【００４１】
以上説明したように、実施形態３によれば、実施形態２と同様の効果を得られる。
【００４２】
（実施形態４）
次に、本発明を実施するための第４の実施形態（実施形態４）について説明する。実施形態１等と同様の構成については、同じ符号を付して説明を省略することがある。図８は、実施形態４に係る画像表示パネル４０が有する複数の画素４８のうち７行×７列分の画素４８における副画素４９の色の一例を示す図である。実施形態４における表示部（例えば、画像表示パネル４０）は、二方向（行方向及び列方向）について、第４の色（例えば、白色）の副画素４９を有する画素４８同士が隣接しない。具体的には、例えば図８に示すように、画素４８のうち、白色の副画素４９Ｂを有する画素４８は、ＸＡ列、ＸＣ列及びＸＥ列の偶数行（２行目、４行目、６行目、…、ｑ行目）とＸＢ列、ＸＤ列及びＸＦ列の奇数行（１行目、３行目、５行目、…、(ｑ−１）行目）のように、行方向及び列について、白色の副画素４９を有しない画素４８と互い違いに設けられる。言い換えれば、実施形態４において、白色の副画素４９Ｂを有する画素４８と、白色の副画素４９を有しない画素４８とは、市松模様を形成するように配置されている。
【００４３】
また、実施形態４は、実施形態２及び実施形態３と同様に、一方向（例えば、行方向）に沿って並ぶ所定数の画素４８の組（例えば、１行×６列分の画素４８の組）単位で、第１の色（例えば、赤色）の副画素４９の面積と、第２の色（例えば、緑色）の副画素４９の面積と、第３の色（例えば、青色）の副画素４９の面積とが等しくなるように副画素が配置されている。具体的には、図８に示すように、青色の副画素４９Ａと、緑色の副画素４９Ｂと、赤色の副画素４９Ｃとを有する画素を画素４８ａとする。また、赤色の副画素４９Ａと、白色の副画素４９Ｂと、緑色の副画素４９Ｃとを有する画素を画素４８ｂとする。また、緑色の副画素４９Ａと、赤色の副画素４９Ｂと、青色の副画素４９Ｃとを有する画素を画素４８ｃとする。また、青色の副画素４９Ａと、白色の副画素４９Ｂと、赤色の副画素４９Ｃとを有する画素を画素４８ｄとする。また、赤色の副画素４９Ａと、青色の副画素４９Ｂと、緑色の副画素４９Ｃとを有する画素を画素４８ｅとする。また、緑色の副画素４９Ａと、白色の副画素４９Ｂと、青色の副画素４９Ｃとを有する画素を画素４８ｆとする。１行目の画素行には、行方向に沿って、ＸＡ列の位置から順に、画素４８ａ、画素４８ｂ、画素４８ｃ、画素４８ｄ、画素４８ｅ、画素４８ｆの順に画素が配置されており、以降、行方向に沿って６画素単位で周期的に画素が配置されている。また、２行目の画素行には、行方向に沿って、ＸＡ列の位置から順に、画素４８ｂ、画素４８ｃ、画素４８ｄ、画素４８ｅ、画素４８ｆ、画素４８ａの順に画素が配置されている。また、３行目の画素行には、行方向に沿って、ＸＡ列の位置から順に、画素４８ｃ、画素４８ｄ、画素４８ｅ、画素４８ｆ、画素４８ａ、画素４８ｂの順に画素が配置されている。また、４行目の画素行には、行方向に沿って、ＸＡ列の位置から順に、画素４８ｄ、画素４８ｅ、画素４８ｆ、画素４８ａ、画素４８ｂ、画素４８ｃの順に画素が配置されている。また、５行目の画素行には、行方向に沿って、ＸＡ列の位置から順に、画素４８ｅ、画素４８ｆ、画素４８ａ、画素４８ｂ、画素４８ｃ、画素４８ｄの順に画素が配置されている。また、６行目の画素行には、行方向に沿って、ＸＡ列の位置から順に、画素４８ｆ、画素４８ａ、画素４８ｂ、画素４８ｃ、画素４８ｄ、画素４８ｅの順に画素が配置されている。２行目以降の画素行についても、６画素単位で周期的に画素が配置されている。
【００４４】
実施形態４の画像表示パネル４０における画素４８の配置パターンは、６行単位で同じ画素４８の配置パターンが繰り返されるように配置されている。このため、７行目の画素行が有する画素４８の配置は、１行目の画素行が有する画素４８の配置と同様である。また、８行目以降の画素行は、２行目の画素行と同様の画素４８の配置、３行目の画素行と同様の画素４８の配置…のように、１行目〜６行目の画素４８の配置パターンが繰り返される。
【００４５】
図９は、実施形態４に係る画像表示パネル４０が有する複数の画素４８のうち６行×６列分の画素４８に接続される信号線ＤＴＬ及び走査線ＳＣＬの一例を示す図である。図９では、便宜上、左上の画素４８の座標を（Ｘ，Ｙ）＝（１，１）とし、各画素４８に座標を付して各画素４８の位置を区別している。図１０は、図９に示す信号線ＤＴＬに出力される出力信号と、走査線ＳＣＬへの出力による走査タイミングとの関係の一例を示す図である。図１０の記載及び以下の説明では、図９に付された画素の座標を参照している。また、図１０の記載では、図９に記載された画素４８が有する副画素４９に対する出力信号のみ記載し、他の図示しない副画素４９に対する出力信号に関する記載を省略している。
【００４６】
ｍ＝１，２，…，ｐとすると、信号線ＤＴＬ（３ｍ−２）は、各画素４８の副画素４９Ａに接続されている。また、信号線ＤＴＬ（３ｍ−１）は、各画素４８の副画素４９Ｂに接続されている。また信号線ＤＴＬ（３ｍ）は、各画素４８の副画素４９Ｃに接続されている。また、ｎ＝１である走査線（１）は、１行目の画素４８の副画素４９Ａ，副画素４９Ｃに接続されている。またｎ＝２，３，４，５，…，ｑとすると、走査線（ｎ）は、ｎ−１行目の副画素４９Ｂ及びｎ行目の副画素４９Ａ、４９Ｃに接続されている。また最終走査線である走査線（ｑ＋１）は、ｑ行目の画素４８の副画素４９Ｂに接続されている。
【００４７】
図１０に示すように、例えば、走査線ＳＣＬ１がオンになるタイミングで、走査線ＳＣＬ１と接続された副画素４９に対する出力信号が各信号線ＤＴＬから出力される。具体的には、例えば、（１，１）の画素４８が有する副画素４９Ａに対して、青色の輝度を示す出力信号Ｂ（１，１）が出力される。同様に、（１，１）の画素４８が有する副画素４９Ｃに対して、赤色の輝度を示す出力信号Ｒ（１，１）が出力される。他の画素４８が有する副画素４９Ａ，４９Ｃについても、図１０に示すように、各々の画素４８の座標及び副画素４９の色に対応する出力信号が出力される。また、走査線ＳＣＬ２がオンになるタイミングで、走査線ＳＣＬ２と接続された副画素４９に対する出力信号が各信号線ＤＴＬから出力される。具体的には、例えば、（１，１）の画素４８が有する副画素４９Ｂに対して、緑色の輝度を示す出力信号Ｇ（１，１）が出力される。また、（２，１）の画素４８が有する副画素４９Ａに対して、赤色の輝度を示す出力信号Ｒ（２，１）が出力される。同様に、（２，１）の画素４８が有する副画素４９Ｃに対して、緑色の輝度を示す出力信号Ｇ（２，１）が出力される。他の画素４８が有する副画素４９についても、図１０に示すように、各々の画素４８の座標及び副画素４９の色に対応する出力信号が出力される。例えば、（１，２）の画素４８が有する副画素４９Ｂに対して、白色の輝度を示す出力信号ｗ（１，２）が出力される等である。各副画素４９は、出力信号に応じた輝度の出力を行う。
【００４８】
なお、上記の通り、出力信号は、第１の色、第２の色、第３の色及び第４の色成分で再現される再現ＨＳＶ色空間の再現値に基づく出力信号である。このことから、（ｍ，ｎ）の画素４８に対して出力される出力信号は、出力信号Ｒ（ｍ，ｎ），Ｇ（ｍ，ｎ），Ｂ（ｍ，ｎ），Ｗ（ｍ，ｎ）の計四色の出力信号を含んでいる。一方、画素４８の副画素４９の数は三つである。このため、いずれか一色の出力信号は、画素４８の座標（ｍ，ｎ）に対応した位置で出力することができないことになる。そこで、本発明の実施形態では、画素４８の座標（ｍ，ｎ）に対応した位置で出力することができない色の出力信号に対応する出力を、当該色の副画素４９を有する他の画素４８を用いて行う。
【００４９】
図１１〜図１４は、画素４８の座標（ｍ，ｎ）に対応した位置で出力することができない色の出力信号に対応する出力の代替出力例を示す図である。例えば、（１，１）の画素４８は、赤色、緑色、青色の副画素４９を有している。出力信号Ｒ（１，１），Ｇ（１，１），Ｂ（１，１）はそのまま（１，１）の画素４８が有する副画素４９に出力される。これらの副画素４９は、各々の出力信号に対応した出力を行う。一方、（１，１）の画素４８に対する白色の出力信号Ｗ（１，１）については、（１，１）の画素４８が白色の副画素４９を有しないことから、（１，１）の画素４８でそのまま出力を行うことができない。そこで、係る白色の出力信号に対応する出力は、（１，１）に隣接する他の画素４８であって、白色の副画素４９を有する画素４８（例えば、（１，２）の画素４８）を用いた代替出力により行われる。具体的には、（１，２）の画素４８が有する白色の副画素４９Ｂに対する白色の輝度を示す出力信号ｗ（１，２）は、（１，１）の画素４８の位置に対応する出力信号Ｗ（１，１）が示す白色の輝度値と、（１，２）の画素４８の位置に対応する出力信号Ｗ（１，２）が示す白色の輝度値との合算値を平均化した値（平均値）を示す信号になっている。つまり、本発明の実施形態において、出力信号ｗ（１，２）は、係る平均値で置き換えられた状態で、（１，２）の画素４８が有する白色の副画素４９Ｂに出力される。
【００５０】
一方、（１，２）の画素４８は、青色の副画素４９を有しない。このため、青色の出力信号Ｂ（１，２）については、（１，２）の画素４８でそのまま出力を行うことができない。そこで、上記の白色の副画素４９の場合と同様に、係る青色の出力信号に対応する出力は、他の画素４８が有する青色の副画素４９を用いた代替出力により行われる。具体的には、（１，３）の画素４８が有する青色の副画素４９Ｃに対する青色の輝度を示す出力信号ｂ（１，２）は、（１，２）の画素４８の位置に対応する出力信号Ｂ（１，２）が示す青色の輝度値と、（１，３）の画素４８の位置に対応する出力信号Ｂ（１，３）が示す青色の輝度値との合算値を平均化した値（平均値）を示す信号になっている。他の画素４８が有しない副画素４９の色に対応する出力信号についても同様に、当該他の画素に隣接する画素４８が有する当該色の副画素４９を用いて出力が行われる。なお、この説明では、画素４８が有しない副画素４９の色に対応する出力に、当該画素４８の右側に隣接する他の画素４８が有する当該色の副画素４９を用いるようにしているが、これは画素４８が有しない副画素４９の色に対応する出力の代替出力の一例であってこれに限られるものでなく、代替出力を行う画素４８の決定方法は適宜変更可能である。ただし、代替出力を行う前の出力結果に対する色の再現性の観点から、できるだけ本来の位置に近い位置にある副画素４９で代替出力を行うことが望ましい。なお、図１０及び図１１ならびに上記の説明では、画素４８の本来の位置に対応する出力信号の色を示す符号を大文字（Ｒ，Ｇ，Ｂ，Ｗ）で示すとともに、代替出力により平均値で置換された出力信号の色を示す符号を小文字（ｒ，ｇ，ｂ，ｗ）で示している。
【００５１】
代替出力に係る演算及び出力信号の生成処理を行う構成は、任意である。例えば、信号処理部２０が出力信号を画像表示パネル駆動回路３０に出力する時点で完了していてもよいし、画像表示パネル駆動回路３０の信号出力回路３１が当該演算及び生成処理を行うようにしてもよい。また、当該演算及び生成処理のための別の構成（回路等）を設けてもよい。以上、実施形態４で代替出力について説明したが、係る代替出力は、実施形態１〜実施形態３を含む他の実施形態に対して適用することもできる。
【００５２】
以上説明したように、実施形態４によれば、実施形態２の効果に加えて、二方向（行方向及び列方向）について、第４の色（例えば、白色）の副画素（例えば、副画素４９Ｂ）を有する画素４８と、第１の色（例えば、赤色）の副画素４９、第２の色（例えば、緑色）の副画素４９及び第３の色（例えば、青色）の副画素４９を有する画素４８とが互い違いに配置される。このため、第４の色の副画素を表示部により分散させることができ、表示部の色の均一性をより高めることができる。
【００５３】
また、実施形態４にて説明したように、代替出力を行うことで、一つの画素４８が有しない画素の色について他の画素４８で補うことができる。
【００５４】
（変形例）
図１５〜図１９は、画像表示パネル４０が有する複数の画素４８のうち７行×７列分の画素４８における副画素４９の色の他の例を示す図である。画像表示パネル４０が有する複数の画素４８における副画素４９の色の配置は、実施形態１〜４に限られず、例えば図１５〜図１９の例に示すように、適宜変更可能である。図１５〜図１９に示す例による副画素４９の色の配置は、図８に示す例と同様に、行方向に沿って６画素単位で周期的に画素が配置され、６行単位で同じ画素４８の配置パターンが繰り返されるように配置されている。図１５〜図１９に示すように、緑色の副画素４９Ａと、白色の副画素４９Ｂと、赤色の副画素４９Ｃとを有する画素を画素４８ｇとする。また、青色の副画素４９Ａと、白色の副画素４９Ｂと、緑色の副画素４９Ｃとを有する画素を画素４８ｈとする。また、赤色の副画素４９Ａと、白色の副画素４９Ｂと、青色の副画素４９Ｃとを有する画素を画素４８ｉとする。
【００５５】
図１５に示す例では、１行目の画素行には、行方向に沿って、ＸＡ列の位置から順に、画素４８ｇ、画素４８ａ、画素４８ｈ、画素４８ｅ、画素４８ｉ、画素４８ｃの順に画素が配置されている。また、２行目の画素行には、行方向に沿って、ＸＡ列の位置から順に、画素４８ａ、画素４８ｈ、画素４８ｅ、画素４８ｉ、画素４８ｃ、画素４８ｇの順に画素が配置されている。また、３行目の画素行には、行方向に沿って、ＸＡ列の位置から順に、画素４８ｈ、画素４８ｅ、画素４８ｉ、画素４８ｃ、画素４８ｇ、画素４８ａの順に画素が配置されている。また、４行目の画素行には、行方向に沿って、ＸＡ列の位置から順に、画素４８ｅ、画素４８ｉ、画素４８ｃ、画素４８ｇ、画素４８ａ、画素４８ｈの順に画素が配置されている。また、５行目の画素行には、行方向に沿って、ＸＡ列の位置から順に、画素４８ｉ、画素４８ｃ、画素４８ｇ、画素４８ａ、画素４８ｈ、画素４８ｅの順に画素が配置されている。また、６行目の画素行には、行方向に沿って、ＸＡ列の位置から順に、画素４８ｃ、画素４８ｇ、画素４８ａ、画素４８ｈ、画素４８ｅ、画素４８ｉの順に画素が配置されている。
【００５６】
図１６に示す例では、１行目の画素行には、行方向に沿って、ＸＡ列の位置から順に、画素４８ｇ、画素４８ａ、画素４８ｈ、画素４８ｅ、画素４８ｉ、画素４８ｃの順に画素が配置されている。また、２行目の画素行には、行方向に沿って、ＸＡ列の位置から順に、画素４８ｃ、画素４８ｇ、画素４８ａ、画素４８ｈ、画素４８ｅ、画素４８ｉの順に画素が配置されている。また、３行目の画素行には、行方向に沿って、ＸＡ列の位置から順に、画素４８ｉ、画素４８ｃ、画素４８ｇ、画素４８ａ、画素４８ｈ、画素４８ｅの順に画素が配置されている。また、４行目の画素行には、行方向に沿って、ＸＡ列の位置から順に、画素４８ｅ、画素４８ｉ、画素４８ｃ、画素４８ｇ、画素４８ａ、画素４８ｈの順に画素が配置されている。また、５行目の画素行には、行方向に沿って、ＸＡ列の位置から順に、画素４８ｈ、画素４８ｅ、画素４８ｉ、画素４８ｃ、画素４８ｇ、画素４８ａの順に画素が配置されている。また、６行目の画素行には、行方向に沿って、ＸＡ列の位置から順に、画素４８ａ、画素４８ｈ、画素４８ｅ、画素４８ｉ、画素４８ｃ、画素４８ｇの順に画素が配置されている。
【００５７】
図１７に示す例では、１行目の画素行には、行方向に沿って、ＸＡ列の位置から順に、画素４８ｇ、画素４８ａ、画素４８ｈ、画素４８ｅ、画素４８ｉ、画素４８ｃの順に画素が配置されている。また、２行目の画素行には、行方向に沿って、ＸＡ列の位置から順に、画素４８ｅ、画素４８ｉ、画素４８ｃ、画素４８ｇ、画素４８ａ、画素４８ｈの順に画素が配置されている。また、３行目の画素行には、行方向に沿って、ＸＡ列の位置から順に、画素４８ｉ、画素４８ｃ、画素４８ｇ、画素４８ａ、画素４８ｈ、画素４８ｅの順に画素が配置されている。また、４行目の画素行には、行方向に沿って、ＸＡ列の位置から順に、画素４８ａ、画素４８ｈ、画素４８ｅ、画素４８ｉ、画素４８ｃ、画素４８ｇの順に画素が配置されている。また、５行目の画素行には、行方向に沿って、ＸＡ列の位置から順に、画素４８ｈ、画素４８ｅ、画素４８ｉ、画素４８ｃ、画素４８ｇ、画素４８ａの順に画素が配置されている。また、６行目の画素行には、行方向に沿って、ＸＡ列の位置から順に、画素４８ｃ、画素４８ｇ、画素４８ａ、画素４８ｈ、画素４８ｅ、画素４８ｉの順に画素が配置されている。
【００５８】
図１８に示す例では、１行目の画素行には、行方向に沿って、ＸＡ列の位置から順に、画素４８ｇ、画素４８ａ、画素４８ｈ、画素４８ｅ、画素４８ｉ、画素４８ｃの順に画素が配置されている。また、２行目の画素行には、行方向に沿って、ＸＡ列の位置から順に、画素４８ｅ、画素４８ｉ、画素４８ｃ、画素４８ｇ、画素４８ａ、画素４８ｈの順に画素が配置されている。また、３行目の画素行には、行方向に沿って、ＸＡ列の位置から順に、画素４８ｈ、画素４８ｅ、画素４８ｉ、画素４８ｃ、画素４８ｇ、画素４８ａの順に画素が配置されている。また、４行目の画素行には、行方向に沿って、ＸＡ列の位置から順に、画素４８ｃ、画素４８ｇ、画素４８ａ、画素４８ｈ、画素４８ｅ、画素４８ｉの順に画素が配置されている。また、５行目の画素行には、行方向に沿って、ＸＡ列の位置から順に、画素４８ｉ、画素４８ｃ、画素４８ｇ、画素４８ａ、画素４８ｈ、画素４８ｅの順に画素が配置されている。また、６行目の画素行には、行方向に沿って、ＸＡ列の位置から順に、画素４８ａ、画素４８ｈ、画素４８ｅ、画素４８ｉ、画素４８ｃ、画素４８ｇの順に画素が配置されている。
【００５９】
図１９に示す例では、１行目の画素行には、行方向に沿って、ＸＡ列の位置から順に、画素４８ｇ、画素４８ａ、画素４８ｈ、画素４８ｅ、画素４８ｉ、画素４８ｃの順に画素が配置されている。また、２行目の画素行には、行方向に沿って、ＸＡ列の位置から順に、画素４８ａ、画素４８ｈ、画素４８ｅ、画素４８ｉ、画素４８ｃ、画素４８ｇの順に画素が配置されている。また、３行目の画素行には、行方向に沿って、ＸＡ列の位置から順に、画素４８ｉ、画素４８ｃ、画素４８ｇ、画素４８ａ、画素４８ｈ、画素４８ｅの順に画素が配置されている。また、４行目の画素行には、行方向に沿って、ＸＡ列の位置から順に、画素４８ｃ、画素４８ｇ、画素４８ａ、画素４８ｈ、画素４８ｅ、画素４８ｉの順に画素が配置されている。また、５行目の画素行には、行方向に沿って、ＸＡ列の位置から順に、画素４８ｈ、画素４８ｅ、画素４８ｉ、画素４８ｃ、画素４８ｇ、画素４８ａの順に画素が配置されている。また、６行目の画素行には、行方向に沿って、ＸＡ列の位置から順に、画素４８ｅ、画素４８ｉ、画素４８ｃ、画素４８ｇ、画素４８ａ、画素４８ｈの順に画素が配置されている。２行目以降の画素行についても、６画素単位で周期的に画素が配置されている。
【００６０】
図２０は、変形例に係る画像表示パネルの一部分の画素配置を示す図である。画素４８は、長方形以外の形状を取ることもできる。例えば、画素は平行四辺形であってもよいし、その他の多角形であってもよいし、画素４８の辺の一部又は全部が弧を描いていてもよい。また、図２０に示すように、信号線ＤＴＬが屈曲していてもよい。図２０に示す例では、信号線ＤＴＬが走査線ＳＣＬと立体交差する位置で屈曲しているが、これは屈曲位置の一例であってこれに限られるものでなく、屈曲位置は任意である。また、走査線ＳＣＬが屈曲していてもよい。また、信号線ＤＴＬ及び走査線ＳＣＬの少なくともいずれか一方は屈曲でなく湾曲していてもよい。
【００６１】
（適用例）
次に、図２１及び図２２を参照して、各実施形態で説明した表示装置１０の適用例について説明する。図２１及び図２２は、各実施形態に係る表示装置を適用する電子機器の一例を示す図である。各実施形態に係る表示装置１０は、図２１に示すカーナビゲーションシステム、テレビジョン装置、デジタルカメラ、ノート型パーソナルコンピュータ、図２２に示す携帯電話等の携帯端末装置あるいはビデオカメラなどのあらゆる分野の電子機器に適用することが可能である。言い換えると、各実施形態に係る表示装置１０は、外部から入力された映像信号あるいは内部で生成した映像信号を、画像あるいは映像として表示するあらゆる分野の電子機器に適用することが可能である。なお、本適用例は、各実施形態に係る表示装置１０以外でも、以上説明した他の実施形態、変形例及び他の例に係る表示装置にも適用できる。
【００６２】
図２１に示す電子機器は、各実施形態に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【００６３】
図２２に示す電子機器は、各実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、各実施形態に係る表示装置１０と外部近接物体を検出可能なタッチ検出（いわゆるタッチパネル）機能とを備えている。  
【００６４】
以上、本発明の実施形態及び変形例を説明したが、これらの実施形態等の内容によりこれらの実施形態等が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。例えば、表示装置１０は、有機発光ダイオード（ＯＬＥＤ）のような自発光体を点灯する自発光型の画像表示パネル４０を有していてもよい。また、副画素毎の色の決定（第１の色、第２の色、第３の色又は第４の色）は、カラーフィルタに限らず、発光材料を用いて行うことができる。
【００６５】
また、上記の実施形態では入力信号及び出力信号が示す色の色空間としてＨＳＶ色空間を採用しているが、ＨＳＶ色空間はあくまで本発明に係り採用可能な色空間の一例であってこれに限られるものでなく、別の色空間を採用することができる。また、副画素の色は、赤色、緑色、青色及び白色に限られるものでなく、これらの色のうち少なくともいずれか一色を他の色としてもよい。具体例を挙げると、白色に代えてイエロー（Ｙ）等の色を採用するようにしてもよい。また、赤色、緑色、青色の三原色に代えて、シアン（Ｃ）、マゼンタ（Ｍ）、イエロー（Ｙ）等の色を採用するようにしてもよい。
【００６６】
また、上記の実施形態では、副画素４９Ａ，４９Ｂの行方向の幅と、副画素４９Ｃの行方向の幅とが同一（例えば、２３．１［μｍ］）であるが、これらは同一でなくてもよい。なお、上記の実施形態のように、副画素４９Ａ，４９Ｂの行方向の幅と、副画素４９Ｃの行方向の幅とが同一であり、副画素４９Ａ，４９Ｂの各々の面積が等しい場合、一つの副画素４９Ｃの面積と二つの副画素４９Ａ（又は副画素４９Ｂ）の面積とが等しくなることから、副画素４９の色毎の面積を調整するための設計に係る演算をより簡易にすることができる。また、画素４８の行方向及び列方向の幅、副画素４９の各々の行方向及び列方向の幅は任意である。
【００６７】
また、上記の実施形態において述べた態様によりもたらされる他の作用効果について本明細書記載から明らかなもの、又は当業者において適宜想到し得るものについては、当然に本発明によりもたらされるものと解される。
【００６８】
また、本発明は、以下の構成を取ることもできる。
（１）
複数の画素が互いに交差する二方向に沿いマトリクス状に設けられた表示部を有する表示装置であって、
前記複数の画素のそれぞれは、第１の色、第２の色、第３の色及び第４の色の四色のうちいずれか三色に対応する三つの副画素を有し、
前記三つの副画素のうち一つの副画素の面積は、他の二つの副画素の面積より大きく、
前記第４の色の副画素は、前記他の二つの副画素の一方であり、
前記表示部は、前記二方向のうち少なくとも一方向について、前記第４の色の副画素を有する画素同士が隣接しない、
表示装置。
（２）
前記表示部は、前記二方向のうち少なくとも一方向について、前記第４の色の副画素を有する画素と、前記第１の色の副画素、前記第２の色の副画素及び前記第３の色の副画素を有する画素とが互い違いに配置される
（１）に記載の表示装置。
（３）
前記表示部は、所定の表示領域における前記第１の色の副画素の面積と、前記第２の色の副画素の面積と、前記第３の色の副画素の面積とが等しい、
（１）又は（２）に記載の表示装置。
（４）
前記一方向に沿って並ぶ所定数の画素の組単位で、前記第１の色の副画素の面積と、前記第２の色の副画素の面積と、前記第３の色の副画素の面積とが等しくなるように副画素が配置されている、
（３）に記載の表示装置。
（５）
前記所定数は、６の倍数である、
（４）に記載の表示装置。
（６）
前記第４の色は、白色である、
（１）又は（２）に記載の表示装置。
（７）
前記第１の色、前記第２の色、前記第３の色はそれぞれ、赤色、緑色、青色である、
（１）又は（２）に記載の表示装置。
【符号の説明】
【００６９】
１０  表示装置
２０  信号処理部
３０  画像表示パネル駆動回路
３１  信号出力回路
３２  走査回路
４０  画像表示パネル
４８  画素
４９Ａ  副画素
４９Ｂ  副画素
４９Ｃ  副画素
５０  光源部
【図１】
0006386892.tif 000002
【図２】
0006386892.tif 000003
【図３】
0006386892.tif 000004
【図４】
0006386892.tif 000005
【図５】
0006386892.tif 000006
【図６】
0006386892.tif 000007
【図７】
0006386892.tif 000008
【図８】
0006386892.tif 000009
【図９】
0006386892.tif 000010
【図１０】
0006386892.tif 000011
【図１１】
0006386892.tif 000012
【図１２】
0006386892.tif 000013
【図１３】
0006386892.tif 000014
【図１４】
0006386892.tif 000015
【図１５】
0006386892.tif 000016
【図１６】
0006386892.tif 000017
【図１７】
0006386892.tif 000018
【図１８】
0006386892.tif 000019
【図１９】
0006386892.tif 000020
【図２０】
0006386892.tif 000021
【図２１】
0006386892.tif 000022
【図２２】
0006386892.tif 000023